(57)【要約】【課  題】取付台に突設したメインポールにメインプーリを備えた自走台を装着し、ガイドバーを横架する。、鉄筋コンクリート構造物等に掛け渡したダイヤモンドワイヤーをメインプーリとガイドバーに取付けたガイドプーリに掛けて循環走行させることにより鉄筋コンクリート構造物等を切断する切断装置において、円柱状や円筒状の鉄筋コンクリート構造物等、階段或いは床や壁を同時切断する際、ガイドプーリを切り口に近付けて切断時の上記ワイヤーの動きを安定させ、切断精度を向上させる。【解決手段】ガイドバー２５をメインポール２２に取着の短バー２５ａと、長バー２５ｂとで構成して両バーをヒンジ２６により屈折可能に連結し、長バー２５ｂには、鉄筋コンクリート構造物等にボルトにて止着される脚３１が軸着される。円柱状の鉄筋コンクリート構造物等３４を切断するときには、長バー２５ｂを屈折させてガイドプーリ２７ｄを切り口に近付ける。【選択図】  図７
2004167937.tif 000002
【特許請求の範囲】
【請求項１】
鉄筋コンクリート構造物等に取外し可能に止着される取付台と、該取付台より突設され、ラックを添設したメインポールと、モータによって回転駆動される切削用ケーブル駆動用のメインプーリ及び上記ラックに噛合するピニオンを有し、メインポールに移動可能に装着されて、ピニオンの回転駆動によりメインポールに沿って移動する自走台と、上記メインポール又は自走台にメインポールに対し直向又は適宜の角度で交差して取付けられるガイドバーと、該ガイドバーに同一平面上に位置し、それぞれ芯合わせされて止着される複数のガイドプーリと、鉄筋コンクリート構造物等とメインプーリとの間に上記ガイドプーリを介して掛け渡される切削用ケーブルとからなる切断装置であって、上記ガイドバーが少なくとも一か所においてヒンジにより上記平面内で、或いは該平面と平行な面内で屈折可能で、任意の角度に屈折されて固定手段により固定可能とされることを特徴とする鉄筋コンクリート構造物等の切断装置
【請求項２】
上記固定手段がガイドバーの自由端側に回動可能に軸支され、鉄筋コンクリート構造物等に取外し可能に止着される脚よりなることを特徴とする請求項１記載の鉄筋コンクリート構造物等の切断装置。
【請求項３】
ガイドバーが屈折する面内でガイドバーに支持される補助ポールと、該補助ポールに位置調整可能に止着されるガイドプーリよりなることを特徴とする請求項１又は２記載の鉄筋コンクリート構造物等の切断装置。
【発明の詳細な説明】
【０００１】
【発明が属する技術分野】
本発明は、コンクリートや鉄筋コンクリート造り、レンガやコンクリートブロック造り、或いは金属製等の構造物（以下、単に「鉄筋コンクリート構造物等」という）をワイヤーソーイングにより切断する切断装置に関する。
【０００２】
【従来技術】
【特許文献１】特開平７−１５８２９０号
図１は、上記特許文献１に開示される従来のこの種切断装置について示すもので、鉄筋コンクリート構造物等１にアンカーボルト等を用いて取外し可能に止着される取付台２と、該取付台２より突設され、ラックを添設したメインポール３と、モータによって回転駆動されるダイヤモンドワイヤー駆動用のメインプーリ４及び上記ラックに噛合するピニオンを備え、メインポール３に移動可能に装着される自走台５と、メインポール３に直交して固定されるガイドバー６と、該ガイドバー６に取外し可能に止着され、それぞれ同一平面上に位置する複数のガイドプーリ７ａ、７ｂ、７ｃと、鉄筋コンクリート構造物等１とメインプーリ３との間にガイドプーリ７ａ、７ｂ、７ｃを介して掛け渡されるダイヤモンドワイヤー８とよりなり、メインプーリ３を回転駆動してダイヤモンドワイヤー８を走行させ、鉄筋コンクリート構造物等１をワイヤーソーイングしながら自走台５を後退させて切断を行うようになっている。
【０００３】
【発明が解決しようとする課題】
ワイヤーソーイングによる切断時には、ダイヤモンドワイヤーの動きを安定させて切断精度を高めるためにガイドプーリはできるだけ鉄筋コンクリート構造物等の切り口近くに配置する必要があるが、例えば図２に示すように、円柱状或いは円筒状の鉄筋コンクリート構造物等１を横向きに切断する場合、図３に示すように床９と壁１０の同時切断を行う場合、或いはまた図４に示すように階段１１を切断する場合には、ガイドプーリ７ｃと切り口ｅとの間が離れ、ワイヤーソーイング時のダイヤモンドワイヤーの動きが安定しなくなる。そのため上述する場合においては従来、図２〜図４の一点鎖線で示すように、補助プーリ７ｄを用いて切り口近くの鉄筋コンクリート構造物等１に取付けたり、床と壁を切断する場合には、床と壁を別々に切断したりしていたが、補助プーリ７ｄを用いる場合には、該補助プーリ７ｄを鉄筋コンクリート構造物等１、壁９、階段１１等に取付ける際、他のガイドプーリ７ａ、７ｂ、７ｃと同一平面上に位置させるために芯合わせが必要となる。また床と壁を別々に切断する場合には、二度の切断作業が必要で、その都度、鉄筋コンクリート構造物等への固定及び取外しを行わねばならない。
【０００４】
また図５に示すように、内向きに彎曲した鉄筋コンクリート構造物等１２、例えば大口径のヒューム管や煙突等を内側から切断する場合、ガイドプーリ７ｃが鉄筋コンクリート構造物等１２に干渉するようになる。この場合には、ガイドプーリ７ｃを取外すか、ガイドバーの短いものを使用し、切り口近くに補助プーリを取付ける必要があるが、補助プーリを使用する際には上述するように芯合わせが必要となる。
【０００５】
本発明は、上記の問題を解消したワイヤーソーイングによる切断装置を提供することを目的とする。
【０００６】
【課題の解決手段】
請求項１に係わる発明は、鉄筋コンクリート構造物等に取外し可能に止着される取付台と、該取付台より突設され、ラックを添設したメインポールと、モータによって回転駆動される切削用ケーブル駆動用のメインプーリ及び上記ラックに噛合するピニオンを有し、メインポールに移動可能に装着されて、ピニオンの回転駆動によりメインポールに沿って移動する自走台と、上記メインポール又は自走台にメインポールに対し直向又は適宜の角度で交差して取付けられるガイドバーと、該ガイドバーに同一平面上に位置し、それぞれ芯合わせされて止着される複数のガイドプーリと、鉄筋コンクリート構造物等とメインプーリとの間に上記ガイドプーリを介して掛け渡される切削用ケーブルとからなる切断装置であって、上記ガイドバーが少なくとも一か所においてヒンジにより上記平面内で、或いは該平面と平行な面内で屈折可能で、任意の角度に屈折されて固定手段により固定可能とされることを特徴とする。
【０００７】
本発明によると、ガイドバーを屈折させることにより、ガイドプーリを切り口に近付け、或いは鉄筋コンクリート構造物等より離して干渉させないようにすることができ、ガイドバーを屈折させても、その屈折はガイドプーリと同一平面内或いは該平面と平行な面内で行われるため、予め芯合わせをしておけば、ガイドバーを屈折させても芯合わせをする必要がない。
【０００８】
本発明で用いる切削用ケーブルとしては、例えばダイヤモンドワイヤーが代表的な例として挙げられる。
また固定手段としては、例えばヒンジを構成するボルトと、該ボルトの突出端に捩込んで締結されるナットよりなるもの、ガイドバーの自由端側に回動可能に軸支され、鉄筋コンクリート構造物等に取外し可能に止着される脚等を例示することができる。
【０００９】
前者のボルトとナットによる場合、ナットを弛めたり、締込むだけで、ガイドバーを任意の角度に傾けて固定することが容易に行える反面、ガイドバーの自由端側が片持ばり状となるため、ワイヤーソーイング時にガイドプーリと共に揺れがちとなり、切削用ケーブルの動きが不安定となって切断精度が低下するのに対し、後者の脚を用いて鉄筋コンクリート構造物等に止着する場合、ガイドバーの自由端側は脚で支持されるため揺れが生じにくゝ、ワイヤーソーイング時の切削用ケーブルの動きが安定する。
【００１０】
したがって請求項２に係わる発明は、請求項１に係わる発明において、固定手段がガイドバーの自由端側に回動可能に軸支され、鉄筋コンクリート構造物等に取外し可能に止着される脚よりなることを特徴とする。
【００１１】
請求項３に係わる発明は、請求項１又は２に係わる発明において、ガイドバーが屈折する面内でガイドバーに支持、好ましくはガイドバーに沿って位置調整可能に支持される補助ポールと、該補助ポールに位置調整可能に止着されるガイドプーリよりなることを特徴とする。
本発明によると、補助ポールに止着のガイドプーリの位置調整をすることにより、切削用ケーブルの弛みを吸収することができる。
【００１２】
【発明の実施の形態】
図６は、本発明に係わる切断装置について示すもので、鉄筋コンクリート構造物等１に図示しないアンカーボルトにより取外し可能に止着されて固定される取付台２１と、該取付台２１より立設され、ラック（図示しない）を添設したメインポール２２と、モータ（図示しない）により回転駆動される切削用ケーブルとしてのダイヤモンドワイヤー駆動用のメインプーリ２３、上記ラックに噛合するピニオン（図示しない）を有し、メインポール２２に移動可能に装着されて、ピニオンの回転駆動によりメインポール２２に沿って昇降する自走台２４と、メインポール２２に直交して取着されるガイドバー２５よりなり、ガイドバー２５は、メインポール２２に取着の短バー２５ａと、該短バー２５ａにヒンジ２６によって上下に旋回可能に軸支される長バー２５ｂとからなり、メインポール両側の短バー２５ａにはガイドプーリ２７ａ、２７ｂが、また長バー２５ｂの両側にはガイドプーリ２７ｃ、２７ｄが位置調整可能に止着されている。
【００１３】
長バー２５ｂにはまた、補助ポール２８が長バー２５ｂと直交して位置調整可能に取付けられ、その下端にはヒンジ２９により脚３１が回動可能に連結され、脚端に固着のベース３２が鉄筋コンクリート構造物等１にボルト（図示しない）にて取外し可能に止着されるようになっている。補助ポール２８にはまた、ガイドプーリ２７ｅが位置調整可能に止着されている。
【００１４】
円柱状又は円筒状の鉄筋コンクリート構造物等を切断するときには、図７に示すように、取付台２１を鉄筋コンクリート構造物等３４にアンカーボルトにより横向きにして固定したのち、長バー２５ｂを図示するように屈折させ、脚３１を曲げて鉄筋コンクリート構造物等３４にボルトにて固定する。次に鉄筋コンクリート構造物等３４に掛け渡したダイヤモンドワイヤー３５をガイドプーリ２７ａを介してメインプーリ２３に掛け、更にガイドプーリ２７ｂ、ガイドプーリ２７ｅ及びガイドプーリ２７ｄの順に掛け、ガイドプーリ２７ｅの位置調整をしてダイヤモンドワイヤー３５の弛みを吸収する。その後は常法のように、メインプーリ２３を回転駆動してダイヤモンドワイヤー３５を走行させ、鉄筋コンクリート構造物等３４をワイヤーソーイングしながら自走台２４を後退させて切断を行う。
【００１５】
図８は階段３７を切断するときの例を示すもので、階段３７に取付台２１を、ついで長バー２５ｂを倒して階段３７の傾斜に添わせ、脚３１を階段３７に固定する。そしてダイヤモンドワイヤー３５を図示するように掛けた後ワイヤーソーイングを行う。
【００１６】
図９は、鉄筋コンクリート構造物等としてのヒューム管３８を円周方向に一定長さ内側から切断する場合の例について示すもので、取付台２１をヒューム管内面に取付けたのち脚３１を取付け、ついでダイヤモンドワイヤー掛けを行ってワイヤーソーイングを行う。
【００１７】
【発明の効果】
請求項１記載の発明によれば、円柱状や円筒状の鉄筋コンクリート構造物等を切断するときや階段を切断するとき或いは床や壁を同時切断するときには、ガイドバーを屈折させるだけで予め芯合わせをしておいたガイドプーリを切り口に近付けてワイヤーソーイングを行うことができ、切り口付近に補助プーリを別途取付ける場合のように補助プーリの芯合わせが不要になるため切断作業が容易に行えるようになり、またガイドプーリが切り口に近付けられるため、ワイヤーソーイング時の切削用ケーブルの動きが安定し、鉄筋コンクリート構造物等を切断するときの切断精度が向上する。
【００１８】
請求項２記載の発明によれば、ガイドバーの自由端側が脚で支持されるためワイヤーソーイング時にガイドバーがブレたり、ガイドプーリが揺れることがなくなり、そのため鉄筋コンクリート構造物等を切断するときの切削用ケーブルの動きがより安定し、切断精度が向上する。
【００１９】
請求項３記載の発明によれば、ガイドプーリの位置調整をすることにより切削用ケーブルの弛みを吸収することができる。
【図面の簡単な説明】
【図１】従来の切断装置の正面図。
【図２】図１に示す切断装置を用いて円柱又は円柱状の鉄筋コンクリート構造物等を切断するときの態様を示す概略図。
【図３】図１に示す切断装置を用いて床と壁を同時切断するときの態様を示す概略図。
【図４】図１に示す切断装置を用いて階段を切断するときの態様を示す概略図。
【図５】図１に示す切断装置を用いて内向きに彎曲した鉄筋コンクリート構造物等を切断するときの態様を示す概略図。
【図６】本発明に係わる切断装置の正面図。
【図７】図６に示す切断装置を用いて円柱又は円柱状の鉄筋コンクリート構造物等を切断するときの態様を示す正面図。
【図８】図６に示す切断装置を用いて階段を切断するときの態様を示す概略図。
【図９】図６に示す切断装置を用いてヒューム管を内側から切断するときの態様を示す概略図。
【符号の説明】
１、１２、３４・・鉄筋コンクリート構造物等
２、２１・・取付台
３、２２・・メインポール
４、２３・・メインプーリ
５、２４・・自走台
６、２５・・ガイドバー
２５ａ・・短バー
２５ｂ・・長バー
７ａ、７ｂ、７ｃ、２７ａ、２７ｂ、２７ｃ、２７ｄ、２７ｅ・・ガイドプーリ
７ｄ・・補助プーリ
９・・床
１０・・壁
１１、３７・・階段
２８・・補助ポール
２６、２９・・ヒンジ
３１・・脚
３２・・ベース
８、３５・・ダイヤモンドワイヤー
３８・・ヒューム管
【図１】
2004167937.tif 000003
【図２】
2004167937.tif 000004
【図３】
2004167937.tif 000005
【図４】
2004167937.tif 000006
【図５】
2004167937.tif 000007
【図６】
2004167937.tif 000008
【図７】
2004167937.tif 000009
【図８】
2004167937.tif 000010
【図９】
2004167937.tif 000011